【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
第１中継装置と、
第２中継装置と、
前記第１中継装置がアクセスすることができる装置のリストを保持するアクセス管理装置と、を備え、
前記第１中継装置は、前記アクセス管理装置に対して前記第１中継装置がアクセスすることができる装置のリストを要求し、前記リストから前記第２中継装置を選択してアクセス要求を前記アクセス管理装置に送信し、
前記第２中継装置は、初期状態は前記アクセス管理装置以外からのアクセスを拒否する状態であり、前記アクセス管理装置からアクセス許可要求を受信した場合前記第１中継装置からの接続待ち状態に移行し、
前記アクセス管理装置は、
前記第２中継装置に対するアクセス要求を前記第１中継装置から受信した場合、前記第１中継装置が前記第２中継装置にアクセスすることを許可するか否かを前記リストに基づいて判定するアクセス許可部と、
前記第１中継装置が前記第２中継装置にアクセスすることが許可された場合、アクセス許可要求を前記第２中継装置に通知し、前記第２中継装置に対するアクセス許可を前記第１中継装置に通知する通知部と、
を備え、
前記第１中継装置は、
前記アクセス許可を受信した場合、前記第２中継装置との間に通信セッションを確立する通信セッション確立部、
を備え、
前記第１中継装置及び前記第２中継装置は、
前記第１中継装置側の第１のＬＡＮに接続された第１通信端末と前記第２中継装置側の第２のＬＡＮに接続された第２通信端末との間の通信を、前記通信セッションを用いて中継する中継通信部、
を備えることを特徴とする中継通信システム。
【請求項２】
請求項１に記載の中継通信システムにおいて、
前記アクセス管理装置は、さらに、
前記リストを前記第１中継装置に送信するリスト送信部、
を備え、
前記第１中継装置は、さらに、
アクセス要求先である前記第２中継装置を、前記リストを用いて選択する選択部、
を備えることを特徴とする中継通信システム。
【請求項３】
請求項１または請求項２に記載の中継通信システムにおいて、
前記第１中継装置は、さらに、
前記第２中継装置に対するアクセス状況を前記アクセス管理装置に通知するアクセス状況通知部、
を備え、
前記アクセス管理装置は、さらに、
前記アクセス状況通知部からの通知に基づいて前記アクセス状況の変化を記録するアクセス記録部、
を備えることを特徴とする中継通信システム。
【請求項４】
請求項１ないし請求項３のいずれかに記載の中継通信システムにおいて、
前記第１中継装置と、前記第２中継装置と、前記アクセス管理装置とは、さらに、
前記第１中継装置及び前記第２中継装置の起動情報と、前記第１中継装置及び前記第２中継装置に接続されたクライアント端末の起動・登録情報とを含む中継サーバ情報を、互いに共有する中継サーバ情報共有部を備えることを特徴とする中継通信システム。
【請求項５】
請求項４に記載の中継通信システムであって、
前記第１中継装置は、さらに、
前記中継サーバ情報を表示する表示部を備えることを特徴とする中継通信システム。
【請求項６】
請求項１ないし請求項５のいずれかに記載の中継通信システムにおいて、
前記通信セッションは、前記第１中継装置と前記第２中継装置との間で転送される通信パケットを、ルーティング制御するメディアセッションとしてのルーティングセッションであることを特徴とする中継通信システム。
【請求項７】
請求項６に記載の中継通信システムにおいて、
前記ルーティングセッションでは、セッション確立後に、前記第１中継装置及び前記第２中継装置はネットワークアドレスを交換することを特徴とする中継通信システム。
【請求項８】
請求項７に記載の中継通信システムにおいて、
前記ネットワークアドレスの交換において、前記第１中継装置及び前記第２中継装置はそれぞれが接続されたＬＡＮに接続された全ての端末へのアクセスを許可することを特徴とする中継通信システム。
【請求項９】
請求項７に記載の中継通信システムにおいて、
前記ネットワークアドレスの交換において、前記第１中継装置又は前記第２中継装置はそれぞれが接続されたＬＡＮに接続された端末の一部にアクセスを許可することを特徴とする中継通信システム。
【請求項１０】
第１中継装置及び第２中継装置と通信可能なアクセス管理装置であって、
前記第１中継装置がアクセスすることができる装置のリストを保持し、前記リストを前記第１中継装置に送信するリスト送信部と、
前記第２中継装置に対するアクセス要求を、前記第１中継装置から受信した場合、前記第１中継装置が前記第２中継装置にアクセスすることを許可するか否かを前記リストに基づいて判定するアクセス許可部と、
前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、
を備えることを特徴とするアクセス管理装置。
【手続補正２】
【補正対象書類名】明細書
【補正対象項目名】０００８
【補正方法】変更
【補正の内容】
【０００８】
上記課題を解決するため、請求項１記載の発明は、中継通信システムであって、第１中継装置と、第２中継装置と、前記第１中継装置がアクセスすることができる装置のリストを保持するアクセス管理装置と、を備え、前記第１中継装置は、前記アクセス管理装置に対して前記第１中継装置がアクセスすることができる装置のリストを要求し、前記リストから前記第２中継装置を選択してアクセス要求を前記アクセス管理装置に送信し、前記第２中継装置は、初期状態は前記アクセス管理装置以外からのアクセスを拒否する状態であり、前記アクセス管理装置からアクセス許可要求を受信した場合前記第１中継装置からの接続待ち状態に移行し、前記アクセス管理装置は、前記第２中継装置に対するアクセス要求を前記第１中継装置から受信した場合、前記第１中継装置が前記第２中継装置にアクセスすることを許可するか否かを前記リストに基づいて判定するアクセス許可部と、前記第１中継装置が前記第２中継装置にアクセスすることが許可された場合、アクセス許可要求を前記第２中継装置に通知し、前記第２中継装置に対するアクセス許可を前記第１中継装置に通知する通知部と、を備え、前記第１中継装置は、前記アクセス許可を受信した場合、前記第２中継装置との間に通信セッションを確立する通信セッション確立部、を備え、前記第１中継装置及び前記第２中継装置は、前記第１中継装置側の第１のＬＡＮに接続された第１通信端末と前記第２中継装置側の第２のＬＡＮに接続された第２通信端末との間の通信を、前記通信セッションを用いて中継する中継通信部、を備えることを特徴とする。
【手続補正３】
【補正対象書類名】明細書
【補正対象項目名】００１０
【補正方法】変更
【補正の内容】
【００１０】
請求項３記載の発明は、請求項１または請求項２に記載の中継通信システムにおいて、前記第１中継装置は、さらに、前記第２中継装置に対するアクセス状況を前記アクセス管理装置に通知するアクセス状況通知部、を備え、前記アクセス管理装置は、さらに、前記アクセス状況通知部からの通知に基づいて前記アクセス状況の変化を記録するアクセス記録部、を備えることを特徴とする。
請求項４記載の発明は、請求項１ないし請求項３のいずれかに記載の中継通信システムにおいて、前記第１中継装置と、前記第２中継装置と、前記アクセス管理装置とは、さらに、前記第１中継装置及び前記第２中継装置の起動情報と、前記第１中継装置及び前記第２中継装置に接続されたクライアント端末の起動・登録情報とを含む中継サーバ情報を、互いに共有する中継サーバ情報共有部を備えることを特徴とする。
請求項５記載の発明は、請求項４に記載の中継通信システムであって、前記第１中継装置は、さらに、前記中継サーバ情報を表示する表示部を備えることを特徴とする。
請求項６記載の発明は、請求項１ないし請求項５のいずれかに記載の中継通信システムにおいて、前記通信セッションは、前記第１中継装置と前記第２中継装置との間で転送される通信パケットを、ルーティング制御するメディアセッションとしてのルーティングセッションであることを特徴とする。
請求項７記載の発明は、請求項６に記載の中継通信システムにおいて、前記ルーティングセッションでは、セッション確立後に、前記第１中継装置及び前記第２中継装置はネットワークアドレスを交換することを特徴とする。
請求項８記載の発明は、請求項７に記載の中継通信システムにおいて、前記ネットワークアドレスの交換において、前記第１中継装置及び前記第２中継装置はそれぞれが接続されたＬＡＮに接続された全ての端末へのアクセスを許可することを特徴とする。
請求項９記載の発明は、請求項７に記載の中継通信システムにおいて、前記ネットワークアドレスの交換において、前記第１中継装置又は前記第２中継装置はそれぞれが接続されたＬＡＮに接続された端末の一部にアクセスを許可することを特徴とする。
【手続補正４】
【補正対象書類名】明細書
【補正対象項目名】００１１
【補正方法】変更
【補正の内容】
【００１１】
請求項１０記載の発明は、第１中継装置及び第２中継装置と通信可能なアクセス管理装置であって、前記第１中継装置がアクセスすることができる装置のリストを保持し、前記リストを前記第１中継装置に送信するリスト送信部と、前記第２中継装置に対するアクセス要求を、前記第１中継装置から受信した場合、前記第１中継装置が前記第２中継装置にアクセスすることを許可するか否かを前記リストに基づいて判定するアクセス許可部と、前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、を備えることを特徴とする。